(57)【要約】橋梁又は同様のデッキ構造に締結される足場組みは、作業用プラットホームと、作業のため及び締結体（１）のブームシステムをデッキ構造の上面に締結するために必要な支持構造とを支持するためのブームシステム（２）を備える。ブームシステム（２）は、旋回四角形部（３、６、１１、１２）を介して締結体に連結される。【選択図】図１
2017529467.tif 000002
【特許請求の範囲】
【請求項１】
橋梁又は対応するデッキ構造に締結される足場組みであって、
作業用プラットホーム及び作業に必要な支持構造を支持するためのブームシステム（２）と、
前記ブームシステムを前記デッキ構造の上側に締結するための締結体（１）と、
前記ブームシステムの位置を調整するための調整手段（１２、１６、１７、１８）と、
を備え、
前記ブームシステム（２）は、１つの穴列をそれぞれ有するラグ（２６）を用いて、前記ブームシステムの位置を調整するための手段に締結される垂直ブーム（４）を備え、穴（２７）の間には第１の間隔があり、前記垂直ブーム（４）は、穴列を有し、穴（２５）の間の間隔は、前記ラグ（２６）の穴（２７）の間のものと異なることを特徴とする足場組み。
【請求項２】
前記ブームシステム（２）は、旋回四角形部、好ましくは旋回台形部（１２、１６、１７、及び１８）を介して、前記締結体に連結され、
前記台形部は、穴（２７）の間に第１の間隔がある１つの穴列をそれぞれ有するラグ（２６）を介して、前記垂直ブーム（４）に締結される下梁（３）及び上梁（１１）を備え、
前記垂直ブームは、穴（２５）の間の間隔が前記ラグの穴（２７）の間の間隔とは異なる、穴列を有することを特徴とする請求項１に記載の足場組み。
【請求項３】
前記垂直ブーム（４）の穴（２５）の間の間隔は、前記ラグ（２６）の穴（２７）の間の間隔よりも長いことを特徴とする請求項１に記載の足場組み。
【請求項４】
前記垂直ブーム（４）の端部に支持梁が締結されている請求項２又は請求項３のいずれかに記載の足場組みであって、
前記垂直ブーム（４）及び前記支持梁（５）は、前記垂直ブーム（４）の端部に設置されるラグを介して互いに締結され、前記ラグは、穴の間に第１の間隔がある１つの穴列をそれぞれ有し、前記支持梁（５）は、穴の間の間隔が、前記ラグの穴の間のものと異なる穴列を有することを特徴とする足場組み。
【請求項５】
前記支持梁（５）の穴の間の間隔は、前記垂直梁の前記ラグの穴の間の間隔よりも長いことを特徴とする請求項４に記載の足場組み。
【請求項６】
下梁（３）及び上梁（１１）の群のうち１つは、前記梁（３）が前記締結体（１）の下部締結点（１７）の両側にレバーを形成するよう、前記垂直ブーム（４）に対し反対の側において、前記締結体（１）と前記梁（３、１１）の間の旋回点（１２、１７）の反対側まで延在することを特徴とする請求項１乃至請求項５のいずれかに記載の足場組み。
【請求項７】
油圧式ジャッキ（２１）及びスクリュー式ジャッキ（２２）の群から少なくとも１つのアクチュエーターが、前記垂直ブーム（４）に対し、前記締結体（１）と前記下梁（３）との間の前記旋回点（１７）と反対の側に、前記下梁及び／又は前記上梁により形成される前記レバーの端部に配置されることを特徴とする請求項６に記載の足場組み。
【請求項８】
前記旋回四角形部は、上梁（１１）及び下梁（３）、並びに前記梁（３、１１）を前記締結体（１）及び前記ブームシステム（２）に取り付けるための旋回点（１２、１６、１７、１８）を備えることを特徴とする請求項２乃至請求項７のうちいずれかに記載の足場組み。
【請求項９】
前記締結体（１）の前記旋回点（１２、１７）は、同一の垂直線上にあり、前記ブームシステム（２）の前記旋回点は、同一の垂直線上にあることを特徴とする請求項２又は請求項８に記載の足場組み。
【請求項１０】
前記旋回四角形部の前記下梁は、三角状桁（３）であることを特徴とする請求項２乃至請求項９のうちいずれかに記載の足場組み。
【請求項１１】
前記旋回四角形部（３、６、１１、１２）及び前記旋回四角形部（３、６、１１、１２）に連結される前記ブームシステム（２）の位置を調整するための少なくとも１つのアクチュエーター（９）を特徴とする請求項２乃至請求項１０のうちいずれかに記載の足場組み。
【請求項１２】
少なくとも、前記ブームシステム（２）と、前記締結体（１）と、前記旋回四角形部（３、６、１１、１２）との間の連結は、取り外し可能な連結部材（６）によって、成立することを特徴とする請求項２乃至請求項１１のうちいずれか１項に記載の足場組み。
【請求項１３】
前記連結部材は、旋回ピン（６）であることを特徴とする請求項１２に記載の足場組み。
【発明の詳細な説明】
【技術分野】
【０００１】
本発明は、橋梁及び他のデッキ状構造の修理、据え付け、及びメンテナンス作業に関連して使用される作業に必要な作業用プラットホーム及び支持構造を形成するために使用される足場組みに関する。
【０００２】
本発明は、特に、橋梁のための修理用足場組みの形成に関する。
【背景技術】
【０００３】
国際公開公報ＷＯ２００８１３２２７７号は、橋梁デッキの修理作業に適した足場組みの配置を開示する。配置は、橋梁のデッキに据え付けられる多くの足場組みブラケットを含み、橋梁デッキの上面にブラケットをボルト止めし、続いて、回動支持部材によって、橋梁デッキの下面にブラケットを支持することにより、ブラケットは橋梁に支持される。
【０００４】
国際公開公報ＷＯ２０１２０６２９６８号は、足場組みブラケットを橋梁のデッキに締結するための締結手段を開示する。取り付けられる足場組みブラケットは、橋梁デッキの上に２つの支持点により支持されるよう配置される。支持点のうち少なくとも１つは、橋梁デッキに取り付けられる取り付け手段から圧迫力を受けるよう配置され、少なくとも１つは、張力のために配置される。取り付け手段は、少なくとも２つの取り付け手段によって橋梁デッキへの取り外し可能な取り付けのために配置され、取り付け手段を張力として足場組みブラケットを受ける支持点に取り付けるための少なくとも１つの取り付け手段を含む。
【０００５】
足場組みブラケットは、修理工具、作業員、及び場合によっては型などにより起こるかなり大きな負荷を支持することができなければならないため、ブラケットは、非常に大きな規模になりやすいことがある。したがって、それらに対応するため昇降手段を必要とし、それらを輸送するため、重車両を必要とする。加えて、ブラケットの据え付けは、通常、多くの人間を要する。それらすべてにより、修理費用が増大する。
【０００６】
修理作業を遅延させ、費用を増大させる別の要因としては、橋梁デッキに対する足場組みの垂直調整移動量が非常に小さいことが挙げられる。加えて、いくつかの場合において、橋梁デッキに対する支持プラットホームの昇降により、支持プラットホームは傾斜し、作業がより困難となるか、又はどうにかそれを補償しなければならないかのいずれかが生じる。高負荷により、すべての調整手段及びアクチュエーターは、重く形作られなければならず、構造の重量及び費用がさらに増大する。
【０００７】
足場組みはまた、橋梁デッキを通るボルト、及び場合によっては締結のためのデッキ上の平滑面など特殊な締結装置をも要する。橋梁の縁部の修理及び鋳造に必要な型は、ジャッキによって動かされなければならず、橋梁又はデッキの縦方向の連続した鋳造は、不可能である。作業はまた、橋梁の下面に対し支持を要することによっても、より困難になる。
【発明の概要】
【０００８】
本発明は、足場組みにより形成される支持プラットホームの設置位置を容易に垂直に動かすことができるという解決手段を提供することを目的とする。
【０００９】
本発明は、垂直な調整が横方向の位置を変化させないという解決手段を提供することを目的とする。
【００１０】
さらに、本発明の実施形態は、支持プラットホームを調整可能に設置する足場組みを提供することを目的とする。
【００１１】
さらに、本発明の実施形態は、シンプルな構造で、容易に製造される足場組みを提供することを目的とする。
【００１２】
本発明の実施形態は、少なくとも橋梁デッキの垂直方向において、好ましくは、デッキ水平面の縦方向を横行する方向においても、広い範囲で、足場組みの作業用プラットホーム、型、及び他の構造の設置位置の調整を可能にすることを目的とする。
【００１３】
本発明の実施形態は、少なくとも部分的に、橋梁のデッキの上部又は他の面から、最も好ましくは、足場組みの締結体と反対のデッキの縁部の側から、橋梁のデッキ又は他の面に対して、位置の垂直な調整を可能にすることを目的とする。
【課題を解決するための手段】
【００１４】
本発明は、ブームシステムと、橋梁のデッキ又はブームシステムの位置を調整するための調整手段を有する他の対応する構造にブームシステムを取り付けるための手段とを備える足場組みであって、ブームシステムは、穴の間に第１間隔を有する１つの穴列をそれぞれ有するラグを使用し、ブームシステムの位置を調整するための手段に締結されている少なくとも１つの垂直ブームを備え、垂直ブームは、ラグの穴の間のものとは異なる穴の間の間隔を有する穴列を有する、足場組みに基づく。
【００１５】
本発明の一実施形態によれば、垂直ブームの穴の間の間隔は、ラグの穴の間の間隔よりも長い。
【００１６】
本発明の一実施形態によれば、垂直ブーム及び支持梁は、垂直ブームの端部に設置されるラグを通し、互いに締結され、ラグは、穴の間に第１の間隔を有する１つの穴列をそれぞれ備え、支持梁は、穴の間の間隔がラグにおける穴の間のものと異なる穴列を有する。
【００１７】
本発明の一実施形態によれば、搬送梁の穴の間の間隔は、垂直ブームのラグの穴の間の間隔よりも長い。
【００１８】
一実施形態によれば、下梁若しくは上梁のいずれか又はその両方は、下梁が締結体の下部旋回点の両側にレバーを形成するよう、垂直ブームに対し、締結体と下梁との間の旋回点の反対側まで延在する。
【００１９】
一実施形態によれば、垂直ブームに対する、締結体と下梁との間の旋回点の反対側にあり、下梁若しくは上梁のいずれか又はその両方により形成されるレバーの端部には、油圧式ジャッキ又はスクリュー式ジャッキの群から少なくとも１つのアクチュエーターが設けられる。
【００２０】
本発明の一実施形態によれば、足場組みは、その構成部品に分解し、現場で組み立てることができる。
【００２１】
本発明の一実施形態によれば、１つの足場組みユニットは、搬送梁の垂直位置を変化させ、固定するための２つのアクチュエーターを備える。
【発明の効果】
【００２２】
本発明によって多くの利点が実現される。
【００２３】
本発明に係る足場組みの構造は、軽いが、依然として、橋梁の修理作業に使用される装置及び用品を搬送するために必要な大きな負荷を支持するよう形作ることができる。足場組みは、輸送のためのその構成部品への分解及び現場での組み立てが容易である。構成部分を動かすための重い昇降設備は必要とせず、それどころか、一人の施工者が足場組みの据え付けを行うことができる。本発明の最も重要な利点の１つとしては、足場組みによって形成される支持プラットホームの設置位置を、支持プラットホームの角度又は橋梁デッキの縁部からの距離を実質的に変化させることなく、橋梁の下面に対して、大きな範囲内で容易に変化させることができることが挙げられる。足場組みの構成部分は、板及び梁構造であり、これにより構築費用は高額とはならない。原則として、足場組みの組み立ては、旋回ピンの据え付けのみを要するため、据え付け作業は容易であり、特殊な工具を必要としない。
【００２４】
以下、添付の図面への参照によって、本発明をより詳細に開示する。
【図面の簡単な説明】
【００２５】
【図１】解決手段に関連して使用される足場組みを示す側面図である。
【図２】図１の足場組みの分解組み立て図である。
【図３】第１の調整位置における図１及び図２の足場組みを示す図である。
【図４】第２の調整位置における図１及び図２の足場組みを示す図である。
【図５】本発明の実施形態を示す図である。
【発明を実施するための形態】
【００２６】
以下、下方向とは、その上部からデッキ構造の上面に向かう方向であり、上方向とは、その反対の方向である。
【００２７】
以下、旋回四角形部によって、ブームシステムの設置位置を調整する有益な方法を記載する。本発明は、多くの脚部又は可変又は調整可能な長さの調整手段を有するシステムにおいてなど、他の調整方法でも同様に適用することができる。しかし、以下に記載される構造は、シンプルなものであり、記載から明らかであるように、特に、本発明を用いた使用に適し得る。以下実施例にあるように、使用される旋回四角形部は、旋回台形部であることが最も好ましい。
【００２８】
図１の実施形態において、足場組みは、ブームシステムを橋梁又は他のデッキ構造１５の上面に連結するため、及び足場組みの位置及び設置位置を調整するための締結体１のみならず、作業用プラットホームを形成するため、及び作業に使用される機械及び型を支持するための支持ブームシステム２を備える。ブームシステム２は、垂直ブーム４を備え、その下端には、垂直ブームの端部にＴ状構造を形成する横行支持梁５が設けられる。Ｔへの分岐のうち１つは、橋梁のデッキ１５に向かうよう据え付けられ、これにより他の分岐はデッキから離れる方に向かう。作業者用経路を、それら分岐により支持されるよう配置することができ、工具及び型に必要な据え付け設備を、橋梁デッキ側に配置することができる。
【００２９】
垂直ブーム４の反対の端部には、２つの梁で形成される旋回四角形部が設けられ、その上梁１１は、直線状箱桁であり、その端部は、旋回点１６により垂直梁４の端部に締結され、そこから締結ユニットに向けて延在する。下部平行梁３は、上梁１１の下方に設置される。ここで、下梁３は、直線状下梁と、下梁の上に形成され、２つの斜線状梁、及び三角形部の頂点及び下梁と連結する垂直支持部で構成される三角形部とを備える三角状桁である。この梁構造の利点は、その軽さと良好な耐荷重である。
【００３０】
上梁１１が旋回点１２にて締結体１の上部に締結され、下梁３が旋回点１７にて締結体１の下部で、上梁１１の下方に締結されるように、上梁１１及び下梁３は、互いにある距離で設置される旋回点１２及び１７にて旋回ピン６を通して締結体１に締結される。ここで、旋回点１２及び１７は、同一の垂直線上にあるが、ブームシステムの移動経路は、必要に応じて、旋回点の設置位置を変化させることにより、変化させることができる。その反対の端部にて、上梁１１及び下梁３は、垂直梁４の端部に設置されるラグ１３に旋回ピン６により締結され、ラグには、上梁１１及び下梁３のための、同一線上に垂直に設置される重ね旋回点１６及び１８も設けられる。したがって、下梁３及び上梁１１と共に、旋回点１２、１６、１７、及び１８は、垂直梁４及び横行支持梁５が垂直方向に動くことができることによって、旋回四角形部を形成する。横行支持梁５は、垂直梁の下端に設置されるラグ１４に、旋回ピン６によって、締結される。この締結方法において、横行支持梁５は、水平位置で固定され、締結するピンの使途は、組み立てが容易なジョイントを提供することである。
【００３１】
締結体１は、好ましくは足場組みを橋梁デッキに締結するための垂直調整可能な締結ボルトを備えるフットアセンブリを形成する締結板を備えてもよい。締結ボルトは、橋梁デッキにあけられる穴に設置され、化学的結合によりしっかりと締めることができ、強く確かな締結を実現する。
【００３２】
旋回四角形部は、垂直梁４及びそこに取り付けられる横行支持梁５の上昇及び下降を可能にする。本実施形態において、アクチュエーターは、締結体１と旋回四角形部の三角形状下梁３との間で、締結体１に据え付けられるジャッキ９である。ジャッキ９は、梁の三角形部の頂点に設置される垂直支持部に配置され、これによりジャッキ９に対し、頑丈な作業場を提供することができる。ジャッキ９は、シンプルなスクリュー式ジャッキ、油圧式ジャッキ、又は他の対応する昇降デバイスであってもよい。高さ位置を連続して調整する必要がないため、ジャッキは、シンプルで頑丈な装置とすることができる。
【００３３】
図３は、最も高い位置にある足場組みを図示し、図４は、最も低い位置にある足場組みを図示する。図面でわかるように、足場組みの垂直ブーム４は、極限位置でさえ、正確に垂直に留まり、支持梁５は、水平に留まる。加えて、高さ調整の調整移動量は非常に大きいことがわかる。従来既知の解決手段において、調整移動量は、むしろ制限されており、調整をすることが困難であったため、これは、従来既知の解決手段と比較して、極めて重要な利点である。
【００３４】
図５の足場組みは、上記のものとはやや異なる。まず、足場組みの下梁３は、直線状である必要はないが、１つの部品であり、垂直梁４に対して、締結体及び下梁３の間の旋回点１７の反対側まで延在する。したがって、下梁３は、締結体１の下部旋回点１７の両側にレバーを形成する。また、垂直梁４に対して締結体１及び下梁３の旋回点１７の反対側にあるこのレバーの端部には、油圧式ジャッキ２１及びスクリュー式ジャッキ２２が設けられる。ジャッキ２１及び２２の軸は、締結体１の柱脚２０により支持される。両ジャッキは、下梁３により形成されるレバーによって、垂直ブーム４及び支持梁５の位置を調整するために独立して使用することができるが、油圧式ジャッキによって、調整をし、足場組みの位置は、スクリュー式ジャッキ２２によって、固定されることが好ましい。ここで、油圧式ジャッキ及びスクリュー式ジャッキは、油圧により作動する又はスクリューにより作動する任意のアクチュエーターを意味し、その長さの変化により、圧縮力又は張力を起こす、又は場所に固定される。所望される場合、スクリューのみを使用して位置の調整及び固定をすることができるが、油圧式ジャッキは、高さ調整の補助として、又はスクリューと同時に使用することができる。他のアクチュエーター又は動力工具は、ここで必要としない。調整は、デッキの縁部と反対の締結体の側で容易及び安全に実施することができる。
【００３５】
レバーはまた、上梁に、又は下梁及び上梁の両方に形成されてもよい。ジャッキは、選択される構成に応じて、異なるレバー又は同一のレバーに取り付けることができる。
【００３６】
足場組み（締結体１）は、柱脚２０にあるねじ式ボルト２３によって、橋梁のデッキ又は他の構造に締結されることが好ましい。デッキへの締結は、接着剤でつける又はボルトを鋳造し、デッキ内に作られた穴を覆い隠すことにより、成立する。互いにある距離で設置される２つの柱脚２０にて、締結をし、ねじ式ボルトは、足場組みとデッキとの間に間隙２４を形成するように、足場組みがデッキから上昇することを可能とする。したがって、デッキの表面を加工することが可能であり、足場組みを締結しつつ、表面を鋳造することができる。締結体は、その位置の調整を容易にするための１つ以上のアルコール水準器を備えてもよい。
【００３７】
橋梁のデッキ又は他の構造への足場組みの垂直位置決めは、本実施形態において、旋回四角形部に加え、垂直梁４と旋回四角形部１２、１６、１７及び１８との間の締結点（旋回点）１６及び１８の設置位置を変化させることにより実施される。垂直ブーム４は、所定の間隔で重ね締結穴２５を備える。ラグ２６は、上梁１１及び下梁３の端部に設けられ、ラグは、垂直ブームの両側に配置されており、また所定の間隔で重ね締結穴２７をも有する。垂直ブームの締結穴２５の間の間隔は、ラグ２６の締結穴２７の間の間隔よりも長い。これにより、垂直ブーム４の締結穴２５による大きな調整移動量と、ラグ２６の締結穴２７による小さな調整範囲が提供される。この調整方法を旋回四角形部による調整と組み合わせると、極めて幅広い範囲で、望むように足場組みの位置を設定することができる。これにより、例えば、橋梁の縁部の鋳造１９のための型の容易で的確な位置決めが可能となる。
【００３８】
橋梁又は他のデッキの縁部に対する支持梁５の設置位置の調整は、対応する穴の配置状態によって、成立させることができる。図５は、支持梁５における密集した穴の配置状態及び垂直梁の締結ラグにおける４つの穴を示す。この穴の配置状態は、柔軟性があり、穴の大きさ及び配置状態は、十分な調整精度をもたらすよう変化させることができる。垂直ブーム又は支持梁などの長い載荷部品にも密集した穴の配置状態を設けることはできるが、穴の量を最小化し、強度を維持するため、それらにおいては、広範囲の穴の配置状態を使用することがより有益である。
【００３９】
上述の実施形態の特徴は、適切に組み合わせることができ、各用途に最も適した構造を実現するため、対応する部品を他のものに置き換えることができる。
【００４０】
足場組みは、一体型作業台を備えてもよく、一体型作業台は、型、ウォーターカッターなどの工具、又は手すり用のレール又は留め金を有してもよい。足場組みは、作業が進むにつれ、足場組みがデッキと平行に動くことができるよう、橋梁デッキ上のレールに締結することができる。締結部品は、工具及び他の用品の安全な保管のため工具箱を有してもよく、足場組みが完全なシステムとして動くことができるよう、足場組みには、昇降フックなどを設けることができる。
【００４１】
本発明に係る足場組みは、すでに組み立てた状態で又はその主要な構成部分に分解した状態で、現場に輸送することができる。足場組みは、旋回ピン６をその箇所に単に据え付けることにより、及びそれらをコッターピンで固定することにより、組み立てられる。したがって、原則として、足場組みを組み立てるための工具を必要としない。足場組みは、比較的軽い部品に分解し、使用後に新たな現場へ輸送することが容易である。橋梁デッキ又は他の対応する用途のため、多くの足場組みユニットを必要とする場合、容易な組み立て、分解、及び輸送は、著しい利益を提供する。旋回ピン及びカッターピンに代わり、ボルト及びナットなどの他の対応する締結手段を使用してもよい。
【００４２】
上記実施例の様々な部分を、添付の特許請求の範囲の定義内で、それらの機能的及び構造的等価物に置き換えることが可能であることは明らかである。
【図１】
2017529467.tif 000003
【図２】
2017529467.tif 000004
【図３】
2017529467.tif 000005
【図４】
2017529467.tif 000006
【図５】
2017529467.tif 000007
【国際調査報告】
2017529467.tif 000008
2017529467.tif 000009